(57)【要約】【課題】利用者に発電量を通知する際に消費する電力を抑えると共に、利用者に発電状態の変化を遅れなく通知する【解決手段】ソーラー発電の発電量を測定し、測定した発電量を所定の間隔で通知する充電表示装置１であって、上記発電量が所定の通知判定間隔変更閾値未満の場合、上記発電量を通知する上記所定の間隔を長くし、上記発電量が上記所定の通知判定間隔変更閾値以上の場合、上記発電量を通知する上記所定の間隔を短くする表示制御部２７を備える。【選択図】図１
2011244548.tif 000002
【特許請求の範囲】
【請求項１】
ソーラー発電の発電量を測定し、測定した発電量を所定の間隔で通知する発電量通知装置であって、
上記発電量が所定の通知判定間隔変更閾値未満の場合、上記発電量を通知する上記所定の間隔を長くし、上記発電量が上記所定の通知判定間隔変更閾値以上の場合、上記発電量を通知する上記所定の間隔を短くする通知判定間隔制御手段を備えることを特徴とする発電量通知装置。
【請求項２】
上記発電量が所定の状態切替閾値以上であるかどうかを判定し、上記発電量が所定の状態切替閾値未満の場合、上記発電量が小さいことを示す低発電状態を通知し、上記発電量が上記所定の状態切替閾値以上の場合、上記発電量が大きいことを示す高発電状態を通知する発電状態通知手段をさらに備え、
上記所定の状態切替閾値のうち、所定の第１の状態切替閾値が、上記所定の通知判定間隔変更閾値より大きく設定されていることを特徴とする請求項１に記載の発電量通知装置。
【請求項３】
ソーラー発電の発電量を測定し、測定した発電量を所定の間隔で通知する発電量通知方法であって、
上記発電量が所定の通知判定間隔変更閾値未満の場合、上記発電量を通知する上記所定の間隔を長くし、上記発電量が上記所定の通知判定間隔変更閾値以上の場合、上記発電量を通知する上記所定の間隔を短くする通知判定間隔制御ステップを含むことを特徴とする発電量通知方法。
【請求項４】
請求項１または２に記載の発電量通知装置を備えることを特徴とする携帯機器。
【発明の詳細な説明】
【技術分野】
【０００１】
本発明は、ソーラー電池の発電量を測定して、測定した発電量を通知する発電量通知装置、発電量通知方法、および、携帯機器に関するものである。
【背景技術】
【０００２】
近年、様々な装置の電力源としてソーラー電池が使用されている。ソーラー電池による発電量は、日照量や、太陽に対するソーラー電池の角度など、条件に応じて変化する。そのため、ソーラー電池から装置に十分な電力を供給するために、発電量を示すソーラー充電電流を測定して、装置の利用者に現在の発電量を通知することが行われている。
【０００３】
例えば、携帯電話機が、電力源としてソーラー電池を搭載しており、発電量を表示する表示部を備えている場合、携帯電話機のユーザは、携帯電話機の表示部に表示されている発電量を見ながら、ソーラー電池の発電量が最も大きくなるように、携帯電話機の向きを変えて、ソーラー電池の太陽に対する角度を変える。
【０００４】
ソーラー充電電流を検出するために、一般的には、ＡＤコンバータ（ＡＤＣ）が使用される。しかしながら、ＡＤＣは、ソーラー充電電流の検出時に、多くの電力を消費するため、頻繁にＡＤＣを動作させると、折角ソーラー電池によって貯めた電力が消費されてしまう。また、ソーラー発電は、一般的に、発電効率が低いため、それほど大きな電力を生成することができない。そのため、ソーラー充電で蓄えたエネルギーを有効に使うため、ソーラー電池において、省電力対応を行う必要がある。
【０００５】
そこで、従来、ソーラー電池等を電力源とする測定装置において、電力源の電力量に応じて、測定装置の消費電力を調整するために、測定装置が実行する測定間隔を可変制御する技術が開発されている。具体的に、特許文献１には、ソーラー電池の発電量が小さくなった場合でも、絶対変位量を測定できるように、ソーラー電池の発電量が所定値以下になると、測定間隔を長くする変位測定装置が記載されている。また、特許文献２には、ソーラー電池の発電量が所定値より小さくなると、ポーリング間隔が長い省電力モードに設定するシステムが記載されている。
【先行技術文献】
【特許文献】
【０００６】
【特許文献１】特開平６−２６８５０号公報（１９９４年２月４日公開）
【特許文献２】特開２００９−２００７０２号公報（２００９年９月３日公開）
【発明の概要】
【発明が解決しようとする課題】
【０００７】
しかしながら、上述のような従来技術は、現在の発電状態が正確に反映されないという問題がある。
【０００８】
具体的には、上述の特許文献１に記載の測定装置の場合、ソーラー電池の発電量が大きい状態から小さい状態になって、一旦低発電状態が表示されると、測定間隔が長くなるため、実際はすぐに発電量が大きい状態になったとしても、しばらく低発電状態として表示される。すなわち、特許文献１に記載の測定装置は、所定値を超えて発電量が小さくなった場合は、発電状態が正確に反映されるが、所定値を超えて発電量が大きくなった場合は、発電状態がしばらく正確に反映されない。
【０００９】
通常、利用者は、ソーラー電池の発電量を大きくするために、高発電状態が表示されるように装置を動かす。そのため、高発電状態への表示の切り替えが遅れると、利用者は、ソーラー電池の発電量が大きい状態を見つけることが難しくなる。
【００１０】
本発明は、上記の問題点に鑑みてなされたものであり、その目的は、利用者に発電量を通知する際に消費する電力を抑えると共に、利用者に発電状態の変化を遅れなく通知する発電量通知装置、発電量通知方法、および、携帯機器を実現することにある。
【課題を解決するための手段】
【００１１】
本発明に係る発電量通知装置は、上記課題を解決するために、ソーラー発電の発電量を測定し、測定した発電量を所定の間隔で通知する発電量通知装置であって、上記発電量が所定の通知判定間隔変更閾値未満の場合、上記発電量を通知する上記所定の間隔を長くし、上記発電量が上記所定の通知判定間隔変更閾値以上の場合、上記発電量を通知する上記所定の間隔を短くする通知判定間隔制御手段を備えることを特徴としている。
【００１２】
また、本発明に係る発電量通知方法は、上記課題を解決するために、ソーラー発電の発電量を測定し、測定した発電量を所定の間隔で通知する発電量通知方法であって、上記発電量が所定の通知判定間隔変更閾値未満の場合、上記発電量を通知する上記所定の間隔を長くし、上記発電量が上記所定の通知判定間隔変更閾値以上の場合、上記発電量を通知する上記所定の間隔を短くする通知判定間隔制御ステップを含むことを特徴としている。
【００１３】
上記構成によれば、上記発電量が所定の通知判定間隔変更閾値未満の場合、上記発電量を通知する上記所定の間隔を長くし、上記発電量が上記所定の通知判定間隔変更閾値以上の場合、上記発電量を通知する上記所定の間隔を短くする。そのため、発電量を通知する際に消費する電力を抑えると共に、利用者に対して発電状態を遅滞なく通知することができる。
【００１４】
また、本発明に係る発電量通知装置は、上記発電量が所定の状態切替閾値以上であるかどうかを判定し、上記発電量が所定の状態切替閾値未満の場合、上記発電量が小さいことを示す低発電状態を通知し、上記発電量が上記所定の状態切替閾値以上の場合、上記発電量が大きいことを示す高発電状態を通知する発電状態通知手段をさらに備え、上記所定の状態切替閾値のうち、所定の第１の状態切替閾値が、上記所定の通知判定間隔変更閾値より大きく設定されていることが好ましい。
【００１５】
上記の構成によれば、発電量通知装置は、上記所定の状態切替閾値のうち、所定の第１の状態切替閾値を、上記所定の通知判定間隔変更閾値より大きい値に設定する。そのため、発電量通知装置は、上記発電量が、上記所定の通知判定間隔変更閾値より大きい上記所定の第１の状態切替閾値付近であっても、当該所定の通知判定間隔変更閾値以上の場合、上記発電状態通知手段が実行する判定の間隔を短くして、短い間隔で発電状態を通知する。よって、上記所定の通知判定間隔変更閾値より大きい上記所定の第１の状態切替閾値付近で発電量が変動したとしても、当該発電量が上記所定の通知判定間隔変更閾値以上の場合、上記発電状態通知手段は、現在の発電量に応じた発電状態（低発電状態および高発電状態）を遅れることなく通知することができる。
【００１６】
例えば、ソーラー発電の発電量が上記所定の第１の状態切替閾値を超えて、当該発電量が大きい状態から小さい状態へ、また、小さい状態から大きい状態へと繰り返し状態が変化している場合、従来の測定装置は、発電量が小さい状態になると、測定間隔および通知更新間隔が長くなるため、高発電状態を通知している状態から低発電状態の通知の切り替えは遅滞なく実行されるが、低発電状態を通知している状態から高発電状態の通知の切り替えが遅れる場合がある。一方、本発明に係る発電量通知装置は、ソーラー発電の発電量が上記所定の通知判定間隔変更閾値以上であれば、発電状態が繰り返し変化している場合であっても、高発電状態の通知から低発電状態の通知の切り替えだけでなく、低発電状態の通知から高発電状態の通知の切り替えも遅滞なく実行することができる。
【００１７】
従って、発電量通知装置は、発電量を通知する際に使用する消費電力を抑えると共に、ユーザに対して、現在の発電量を遅れることなく、正確に通知することができるという効果を奏する。
【００１８】
また、本発明に係る携帯機器は、上記発電量通知装置を備えることを特徴としている。
【００１９】
なお、上記発電量通知装置は、コンピュータによって実現してもよく、この場合には、コンピュータを上記発電量通知装置の各手段として動作させることにより、上記発電量通知装置をコンピュータにて実現させる制御プログラム、及びそれを記録したコンピュータ読み取り可能な記録媒体も本発明の範疇に入る。
【発明の効果】
【００２０】
以上のように、本発明に係る発電量通知装置は、上記発電量が所定の通知判定間隔変更閾値未満の場合、上記発電量を通知する上記所定の間隔を長くし、上記発電量が上記所定の通知判定間隔変更閾値以上の場合、上記発電量を通知する上記所定の間隔を短くする通知判定間隔制御手段を備えることを特徴としている。
【００２１】
また、本発明に係る発電量通知方法は、ソーラー発電の発電量を測定し、測定した発電量を所定の間隔で通知する発電量通知方法であって、上記発電量が所定の通知判定間隔変更閾値未満の場合、上記発電量を通知する上記所定の間隔を長くし、上記発電量が上記所定の通知判定間隔変更閾値以上の場合、上記発電量を通知する上記所定の間隔を短くする通知判定間隔制御ステップを含むことを特徴としている。
【００２２】
従って、発電量通知装置は、発電量を通知する際に使用する消費電力を抑えると共に、ユーザに対して、現在の発電量を遅れることなく、正確に通知することができるという効果を奏する。
【図面の簡単な説明】
【００２３】
【図１】図２に示した充電表示装置のサブマイコンの要部構成を示す図である。
【図２】本発明の実施形態に係る充電表示装置の概要を示す図である。
【図３】図１に示したサブマイコンのサブ液晶表示部に表示される充電停止アイコン、通常充電アイコンおよび最適充電アイコンの表示例を示す図である。
【図４】図１に示したサブマイコンのポーリング周期制御部の動作処理を示すフローチャートである。
【図５】図１に示したサブマイコンの表示制御部の動作処理を示すフローチャートである。
【図６】図２に示した充電表示装置の電流センス抵抗を流れる電流の電流値と、表示アイコン、ポーリング周期および表示更新間隔との関係を示す図である。
【図７】充電表示装置を搭載した携帯電話機の外観を示す図である。
【発明を実施するための形態】
【００２４】
本発明の一実施形態について図１から図６に基づいて説明すると以下の通りである。本実施形態では、ソーラー充電が可能な携帯電話機であって、現在の発電量をユーザに通知する携帯電話機を例にして説明する。なお、携帯電話機は、一例であり、ソーラー充電が可能な装置であれば何でもよい。また、本実施形態では、携帯電話機がメイン液晶表示部およびサブ液晶表示部を備えており、サブ液晶表示部に現在の発電量（現在の充電状態）を示すアイコンを表示するものとする。
【００２５】
以下に、携帯電話機に搭載されている充電表示装置（発電量通知装置）であって、本発明の特徴である、利用者に発電量を通知する際に消費する電力を抑えるためにポーリング間隔を長くすると共に、利用者に発電状態の変化を遅れなく通知する充電表示装置について説明する。なお、携帯電話機は、充電表示装置以外にも、メインマイコン、メイン液晶表示部、記憶部、操作部、通信部等の部材を備えていてもよいが、発明の特徴点とは関係がないため、ここでは説明を省略する。
【００２６】
〔充電表示部の概要〕
本実施形態の充電表示装置１の概要について、図２に基づいて説明する。図２は、本実施形態に係る充電表示装置１の概要を示す図である。充電表示装置１は、ソーラー発電の発電量を所定の時間間隔で測定し、測定した発電量を通知するものである。図示のように、充電表示装置１は、ソーラー電池２、ソーラー充電回路３、ＤＥＴＩＣ４、電流センス抵抗５、リチウム電池６、ＯＰアンプ７、レギュレータＩＣ８、サブマイコン９、サブ液晶駆動回路１０、および、サブ液晶表示部１１を含む。
【００２７】
ソーラー電池２は、太陽光を受光して電気に変換するものである。ソーラー電池２は、電気的にはダイオードと等価である。ソーラー電池２は、例えば、１０個のソーラー電池を直列接続した場合、最大で約６Ｖ程度のソーラー充電電力が出力される。上述のように、ソーラー電池２は、受光する光量によって、発生するソーラー充電電流が異なり、太陽光の日射量が多いとソーラー充電電流が多く発生する。ソーラー電池２にて生成された電力（ソーラー充電電流）は、ソーラー充電回路３および電流センス抵抗５を介して、リチウム電池６に供給される。ソーラー電池２の一端は、接地されており、他端は、ソーラー充電回路３と、ＤＥＴＩＣ４とに接続されている。
【００２８】
ソーラー充電回路３は、サブマイコン９からの指示を受けて、ソーラー電池２とリチウム電池６との接続を導通したり、遮断したりするものである。ソーラー充電回路３は、ソーラー電池２とリチウム電池６との間に接地されており、ソーラー充電回路３の一端は、ソーラー電池２に接続されており、他端は、電流センス抵抗５に接続されている。また、ソーラー充電回路３は、サブマイコン９からの指示を受信するためのＣＥ端子を備えており、ＣＥ端子がサブマイコン９と接続されている。ＣＥ端子がＯＮになると、ソーラー充電回路３は、ソーラー電池２とリチウム電池６との接続を導通し、一方、ＣＥ端子がＯＦＦになると、ソーラー充電回路３は、ソーラー電池２とリチウム電池６との接続を遮断する。
【００２９】
ＤＥＴＩＣ４は、ソーラー電池２から出力されるソーラー充電電圧の値が、例えば、３Ｖ以上であるかどうかを検知し、検知結果をサブマイコン９に出力するものである。具体的には、ソーラー充電電圧の値が３Ｖ以上になると、ＤＥＴＩＣ４がＯＮになり、３Ｖ未満になると、ＤＥＴＩＣ４がＯＦＦになる。ＤＥＴＩＣ４の一端は、ソーラー電池２と接続されており、他端は、接地されている。また、ＤＥＴＩＣ４は、検知結果を出力するために、サブマイコン９と接続されている。
【００３０】
電流センス抵抗５は、ソーラー電池２で発生する発電量（ソーラー充電電流、ソーラー充電電圧）を測定するための抵抗であり、抵抗値が非常に小さい抵抗である。本実施形態では、抵抗値が０．２２Ωの電流センス抵抗５を用いるものとする。電流センス抵抗５は、ソーラー電池２とリチウム電池６との間に配置されており、電流センス抵抗５の一端は、ソーラー充電回路３に接続されており、他端は、リチウム電池６に接続されている。
【００３１】
電流センス抵抗５は、ソーラー電池２とリチウム電池６との間に配置されており、ソーラー電池２の単位時間当たりの発電量が多くなると、電流センス抵抗５を流れる電流（ソーラー充電電流）が多くなるため、電流センス抵抗５を流れる電流を測定することによって、ソーラー電池２における単位時間当たりの発電量を推測することができる。また、電流センス抵抗５を流れる電流が多くなると、リチウム電池６の単位時間当たりの充電量も多くなる。そのため、電流センス抵抗５を流れる電流を測定することによって、リチウム電池６の単位時間当たりの充電量も推測することができる。また、電流センス抵抗５の両端の電位差は、電流センス抵抗５を流れる電流に比例しているため、電流センス抵抗５の両端の電位差を測定することでも、ソーラー電池２の単位時間当たりの発電量、および、リチウム電池６の単位時間当たりの充電量を推測することができる。
【００３２】
なお、単位時間当たりの充電量とは、ソーラー電池２からリチウム電池６に供給される電力量のことを意味する。また、充電表示装置１において、所定の発電量より、ソーラー電池２における発電量が小さい状態を低発電状態と称し、所定の発電量より、ソーラー電池２における発電量が大きい状態を高発電状態と称し、低発電状態および高発電状態を総称して発電状態と称する。同様に、充電表示装置において、所定の充電量より、リチウム電池６における充電量が小さい状態を低充電状態と称し、所定の充電量より、リチウム電池６における充電量が大きい状態を高充電状態と称する。
【００３３】
リチウム電池６は、携帯電話機の電源であり、サブマイコン９等に電力を供給するものである。リチウム電池６は、ソーラー電池２、または、交流電源等から電力を受けて蓄電するものである。ソーラー電池２の発電量に比べてリチウム電池６の負荷は非常に大きいため、ソーラー電池２の出力電圧はリチウム電池６の電圧に引き込まれる。従って、太陽光の日射量が大きく、ソーラー電池２の出力電圧がリチウム電池６の電圧より高ければ、充電が開始される。リチウム電池６は、電流センス抵抗５およびソーラー充電回路３を介してソーラー電池２と接続されている。リチウム電池６の一端は、電流センス抵抗５およびサブマイコン９と接続されており、他端は、接地されている。
【００３４】
ＯＰアンプ７は、電流センス抵抗５の両端にかかる電圧を増幅して、サブマイコン９に出力するものである。ＯＰアンプ７の入力端子は、電流センス抵抗５の両端に接続されており、ＯＰアンプ７の出力端子は、サブマイコン９に接続されている。なお、本実施形態では、ＯＰアンプ７の出力電圧利得を１００倍とする。
【００３５】
レギュレータＩＣ８は、リチウム電池６およびソーラー電池２からサブマイコン９に出力される電圧を一定にするものである。レギュレータＩＣ８は、ソーラー充電回路３を介してソーラー電池２から入力電圧を受け、また、電流センス抵抗５を介してリチウム電池６から入力電圧を受ける。レギュレータＩＣ８は、リチウム電池６およびソーラー電池２から電圧が入力され、入力電圧を所定の電圧値まで降下してサブマイコン９に出力する。
【００３６】
サブマイコン９は、ソーラー充電回路の導通／遮断を制御して、ソーラー電池２からリチウム電池６への充電を制御するものである。また、サブマイコン９は、ソーラー電池２の発電量を通知するために、サブ液晶駆動回路１０を制御してサブ液晶表示部１１に現在の発電量を表示させるものである。サブマイコン９は、レギュレータＩＣ８を介して、ソーラー電池２および／またはリチウム電池６から電源供給を受け、既定の電圧が掛かると起動する。サブマイコン９は、ＤＥＴＩＣ４、ＯＰアンプ７およびリチウム電池６と、これらから入力を受けるために接続されており、ソーラー充電回路３およびサブ液晶駆動回路１０と、これらへ出力するために接続されている。サブマイコン９の具体的な機能の詳細は、後述する。
【００３７】
サブ液晶駆動回路１０は、サブマイコン９から指示を受けて、指示された画像（後述の発電量を示すアイコン）を表示するように、サブ液晶表示部１１を駆動するものである。
【００３８】
サブ液晶表示部１１は、サブマイコン９の指示に従って画像を表示するものである。なお、充電表示装置１の表示部として、表示を更新する（画像を書き換える）際に電力を消費し、表示を維持する（同じ画像を表示し続ける）際にはほとんど電力を消費しないようなメモリ液晶や電子ペーパー等の液晶ディスプレイを適用することが好ましい。また、充電表示装置１の表示部として、液晶ディスプレイであるサブ液晶表示部１１に限らず、有機ＥＬディスプレイ、プラズマディスプレイなどを適用することが可能である。
【００３９】
〔サブマイコンの要部構成〕
本実施形態の充電表示装置１が備えるサブマイコン９の要部構成について、図１に基づいて説明する。図１は、サブマイコン９の要部構成を示す図である。サブマイコン９は、記憶部（不図示）から一時記憶部（不図示）に読み出されたプログラムを実行することにより、各種の演算を行うと共に、充電表示装置１が備える各部を統括的に制御するものである。
【００４０】
本実施形態では、サブマイコン９は、機能ブロックとして、図示のように、サブマイコン９は、第２ＡＤ変換部２０、第２コード部２１、比較部２２、接続切替部２３、第１ＡＤ変換部２４、第１コード部２５、電流変換部２６、表示制御部（発電状態通知手段、通知判定間隔制御手段）２７、および、ポーリング周期制御部（測定間隔制御手段）２８を備える構成である。これらのサブマイコン９の各機能ブロック（２０〜２８）は、ＣＰＵ（central processing unit）が、ＲＯＭ（read only memory）等で実現された記憶装置に記憶されているプログラムをＲＡＭ（random access memory）等で実現された一時記憶部に読み出して実行することで実現できる。
【００４１】
第２ＡＤ変換部２０は、リチウム電池６の出力電圧を受信して、受信した出力電圧（アナログ値）をサンプリングするものである。第２ＡＤ変換部２０は、サンプリングしたリチウム電池６の出力電圧のサンプリング値を第２コード部２１に出力する。なお、第２ＡＤ変換部２０は、受信した出力電圧を常に連続してサンプリングしてもよいし、所定の間隔でサンプリングしてもよい。なお、第２ＡＤ変換部２０は、ＤＥＴＩＣ４からソーラー電池２の出力電圧が３Ｖ以上であることを示す検知結果を受信すると、サンプリングを開始する。つまり、第２ＡＤ変換部２０は、ソーラー電池２の出力電圧が３Ｖ以上の場合に、サンプリングを実行するものとする。
【００４２】
第２コード部２１は、第２ＡＤ変換部２０から出力されたサンプリング値をデジタルコードに変換するものである。第２コード部２１は、コード化したリチウム電池６の出力電圧のデジタル値を比較部２２に出力する。
【００４３】
比較部２２は、第２コード部２１からリチウム電池６の出力電圧のデジタル値を受信して、受信したリチウム電池６の出力電圧が４Ｖ以上であるか否かを判定するものである。比較部２２は、判定した結果を接続切替部２３に出力する。
【００４４】
接続切替部２３は、ＤＥＴＩＣ４および比較部２２から検知結果および判定結果を受信して、ソーラー充電回路３のＣＥ端子のＯＮ／ＯＦＦを切り替えるものである。具体的には、接続切替部２３は、ＤＥＴＩＣ４からソーラー電池２の出力電圧が３Ｖ未満であることを受信すると、ＣＥ端子をＯＦＦにし、一方、ＤＥＴＩＣ４からソーラー電池２の出力電圧が３Ｖ以上であることを受信すると、ＣＥ端子をＯＮにする。さらに、接続切替部２３は、比較部２２からリチウム電池６の出力電圧が４Ｖ未満であることを受信すると、ＣＥ端子をＯＮにし、比較部２２からリチウム電池６の出力電圧が４Ｖ以上であることを受信すると、ＣＥ端子をＯＦＦにする。
【００４５】
なお、本実施形態の充電表示装置１が備えるリチウム電池６は、一般に、４．２Ｖ以上になると、爆発などが起きる可能性があり、リチウム電池６の電圧管理（特に、リチウム電池６の出力電圧の上限の管理）を行う必要がある。そのため、比較部２２がリチウム電池６の出力電圧が４Ｖ以上であるか否かを判定し、４Ｖ以上である場合に、接続切替部２３がＣＥ端子をＯＦＦにして充電を停止している。
【００４６】
すなわち、本実施形態では、ソーラー電池２の出力電圧が３Ｖ以上であって、リチウム電池の出力電圧が４Ｖ未満の場合に充電を行っている。充電を行う条件（ソーラー電池２の出力電圧およびリチウム電池の出力電圧）は、これに限るものではなく、正常に充電できる範囲で適宜設定すればよい。
【００４７】
第１ＡＤ変換部２４は、ＯＰアンプ７の出力電圧（すなわち、電流センス抵抗５の両端の電位差）を受信して、受信した出力電圧（アナログ値）をサンプリングするものである。次に、第１ＡＤ変換部２４は、サンプリングしたＯＰアンプ７の出力電圧のサンプリング値を、ポーリング周期制御部２８から指示された所定の間隔でポーリングする（取得する）。そして、第１ＡＤ変換部２４は、ポーリングしたサンプリング値を第１コード部２５に出力する。
【００４８】
なお、第１ＡＤ変換部２４は、消費電力を抑えるために、ポーリングの間隔（ポーリング周期）に合わせて、周期的にサンプリングを行うことが望ましい。つまり、第１ＡＤ変換部２４は、ポーリングする時点の前後の所定期間だけサンプリングを行うことが望ましい。また、第１ＡＤ変換部２４は、接続切替部２３がＣＥ端子をＯＮにしている間にサンプリングおよびポーリングを行うものとする。また、第１ＡＤ変換部２４は、接続切替部２３がＣＥ端子をＯＮにして、ポーリングを開始する際は、デフォルトのポーリング周期でポーリングを行うものとする。
【００４９】
第１コード部２５は、第１ＡＤ変換部２４から出力されたサンプリング値をデジタルコードに変換するものである。第１コード部２５は、コード化したＯＰアンプ７の出力電圧のデジタル値を電流変換部２６に出力する。
【００５０】
電流変換部２６は、電圧を電流に変換するものであり、具体的には、ＯＰアンプ７の出力電圧（すなわち、電流センス抵抗５の両端の電位差）のデジタル値を変換して、電流センス抵抗５を流れるソーラー充電電流のデジタル値を生成するものである。電流変換部２６は、生成したソーラー充電電流のデジタル値を表示制御部２７に出力する。
【００５１】
表示制御部２７は、電流センス抵抗５を流れるソーラー充電電流（すなわち、ソーラー電池２の単位時間当たりの発電量またはリチウム電池６の単位時間当たりの充電量）に応じて、リチウム電池６の単位時間当たりの充電量を示すアイコンをサブ液晶表示部１１に表示するように、サブ液晶駆動回路１０に指示するものである。
【００５２】
本実施形態では、ソーラー充電電流に２つの閾値（状態切替閾値）を設定し、リチウム電池６の単位時間当たりの充電量を３段階で表示する（図６参照）。具体的には、表示制御部２７は、ソーラー充電電流が３０ｍＡ未満の場合、リチウム電池６で充電が行われていない、もしくは、充電量が僅かであることを示す充電停止アイコンをサブ液晶表示部１１に表示させる。また、表示制御部２７は、ソーラー充電電流が３０ｍＡ以上６０ｍＡ未満の場合、リチウム電池６で中程度に充電が行われていることを示す通常充電アイコンをサブ液晶表示部１１に表示させる。また、表示制御部２７は、ソーラー充電電流が６０ｍＡ以上の場合、リチウム電池６で最適に（最も効率よく）充電が行われていることを示す最適充電アイコンをサブ液晶表示部１１に表示させる。
【００５３】
状態切替閾値には、第１の状態切替閾値と第２の状態切替閾値があり、本実施形態では、第１の状態切替閾値を６０ｍＡとし、第２の状態切替閾値を３０ｍＡとする。第１の状態切替閾値とは、当該状態切替閾値で切り替わる発電状態を遅滞なく利用者に伝える目的で設定する閾値である。第２の状態切替閾値とは、当該状態切替閾値で切り替わる発電状態を遅滞なく利用者に伝えることより、消費電力を抑えることを優先する閾値である。なお、状態切替閾値には、少なくとも１つの第１の状態切替閾値が含まれているものとする。
【００５４】
さらに、表示制御部２７は、電流センス抵抗５を流れるソーラー充電電流（すなわち、ソーラー電池２の単位時間当たりの発電量またはリチウム電池６の単位時間当たりの充電量）に応じて、サブ液晶駆動回路１０に指示する間隔を変更するものである。より具体的には、表示制御部２７は、電流センス抵抗５を流れるソーラー充電電流に応じて、液晶表示部１１に表示するアイコンの表示更新間隔を変更するものである。表示更新間隔とは、表示制御部２７がどのアイコンを表示するかを特定するために実行する、発電量の大小の判定を行って、表示する間隔である。
【００５５】
本実施形態では、表示更新間隔を変更するソーラー充電電流の閾値（通知判定間隔変更閾値）を、後述の測定間隔変更閾値と同じ値である５０ｍＡに設定し、表示更新間隔を２段階で変更する（図６参照）。具体的には、表示制御部２７は、ソーラー充電電流が５０ｍＡ未満の場合、アイコンの表示更新を５秒ごとに行い、ソーラー充電電流が５０ｍＡ以上の場合、アイコンの表示更新を１０ミリ秒ごとに行う。
【００５６】
表示制御部２７がサブ液晶表示部１１に表示させる、充電停止アイコン、通常充電アイコンおよび最適充電アイコンの表示例を図３に示す。このように、サブ液晶表示部１１にリチウム電池６の単位時間当たりの充電量（ソーラー電池２の単位時間当たりの発電量）を表示することによって、ユーザは、現在の充電状態（発電状態）を目視で確認することができる。
【００５７】
ポーリング周期制御部２８は、第１ＡＤ変換部２４が第１コード部２５に出力するＯＰアンプ７の出力電圧（電流センス抵抗５の両端の電位差）のサンプリング値を取得して、取得したサンプリング値に応じて、第１ＡＤ変換部２４が実行するポーリングの間隔を制御するものである。
【００５８】
本実施形態では、ＯＰアンプ７の出力電圧（電流センス抵抗５の両端の電位差）に１つの閾値（測定間隔変更閾値）を設定し、ポーリング周期を２段階で制御する。具体的には、ポーリング周期制御部２８は、ＯＰアンプ７の出力電圧が１１００ｍＶ未満の場合、ポーリングを５秒間隔で実行するように第１ＡＤ変換部２４に指示する。一方、ポーリング周期制御部２８は、ＯＰアンプ７の出力電圧が１１００ｍＶ以上の場合、ポーリングを１０ミリ秒間隔で実行するように第１ＡＤ変換部２４に指示する。なお、本実施形態では、電流センス抵抗５の抵抗値を０．２２Ω、ＯＰアンプ７の増幅利得を１００倍としているため、ＯＰアンプ７の出力電圧が１１００ｍＶの場合、電流センス抵抗５に流れる電流は、５０ｍＡとなる。つまり、電流センス抵抗５に流れる電流の電流値に換算した測定間隔変更閾値は、５０ｍＡとなる。
【００５９】
なお、本実施形態では、表示制御部２７およびポーリング周期制御部２８は、取得した１つの値（電流値、電圧値）が閾値を超えているかどうかを判定しているがこれに限るものではない。例えば、表示制御部２７およびポーリング周期制御部２８は、複数の値を取得して、取得した複数の値の平均値と閾値を比較してもよい。また、表示制御部２７およびポーリング周期制御部２８は、取得した複数の値全てが閾値を超えていた場合に、それぞれ、高発電状態を表示したり、ポーリング周期を短くしたりしてもよい。
【００６０】
また、本実施形態では、１つの測定間隔変更閾値と、２つの状態切替閾値を用いているがこれに限るものではない。測定間隔変更閾値および状態切替閾値は、それぞれ、１つであってもよいし、２つ以上であってもよい。
【００６１】
また、本実施形態では、表示制御部２７が充電停止アイコン、通常充電アイコンおよび最適充電アイコンを表示させて、ユーザに発電量を通知しているがこれに限るものではなく、ユーザに発電量が通知できる方法であればなんでもよい。例えば、発電量を文字で示してもよいし、数値で表してもよい。また、液晶表示部ではなく、ランプ等を用いて、色などで発電量を通知してもよい。また、音や振動などで発電量を通知してもよい。
【００６２】
また、本実施形態では、通知判定間隔変更閾値と測定間隔変更閾値を同じ値にしているがこれに限るものではない。通知判定間隔変更閾値は、測定間隔変更閾値より大きい値であればよい。また、本実施形態では、ポーリング周期と表示更新間隔とを同じ値にしているがこれに限るものではない。表示更新間隔は、ポーリング周期より大きい値であればよい。
【００６３】
〔ポーリング周期制御部の動作処理〕
次に、ポーリング周期制御部２８の動作処理について、図４に基づいて詳細に説明する。図４は、ポーリング周期制御部２８の動作処理を示すフローチャートである。なお、上述のように、本実施形態では、電流センス抵抗５の抵抗値を０．２２Ω、ＯＰアンプ７の増幅利得を１００倍とし、ポーリング周期制御部２８がポーリングの周期を変更する閾値を１１００ｍＶとする。
【００６４】
図４に示すように、まず、ポーリング周期制御部２８は、第１ＡＤ変換部２４から第１コード部２５に出力した、電流センス抵抗５の両端の電位差を示す電圧値を取得する（Ｓ１）。そして、ポーリング周期制御部２８は、取得した電圧値が１１００ｍＶ以上であるかどうかを判定する（Ｓ２）。
【００６５】
ポーリング周期制御部２８は、取得した電圧値が１１００ｍＶ以上であれば、第１ＡＤ変換部２４に対して、１０ミリ秒間隔でポーリングを行うように指示する（Ｓ３）。一方、ポーリング周期制御部２８は、取得した電圧値が１１００ｍＶ未満であれば、第１ＡＤ変換部２４に対して、５秒間隔でポーリングを行うように指示する（Ｓ４）。
【００６６】
〔表示制御部の動作処理〕
次に、表示制御部２７の動作処理について、図５に基づいて詳細に説明する。図５は、表示制御部２７の動作処理を示すフローチャートである。なお、上述のように、本実施形態では、表示制御部２７が、３０ｍＡ、６０ｍＡの２つの閾値を用いて、図３に示す充電停止アイコン、通常充電アイコンおよび最適充電アイコンをそれぞれ表示させるものとする。また、表示制御部２７が、５０ｍＡの閾値を用いて、表示更新間隔を５秒、１０ミリ秒と変更するものとする。
【００６７】
図５に示すように、まず、表示制御部２７は、電流変換部２６から電流センス抵抗５に流れるソーラー充電電流の電流値を取得する（Ｓ１１）。そして、表示制御部２７は、取得した電流値が３０ｍＡ以上であるかどうかを判定する（Ｓ１２）。
【００６８】
表示制御部２７は、取得した電流値が３０ｍＡ未満であれば、サブ液晶駆動回路１０に対して、サブ液晶表示部１１に充電停止アイコンを表示するように指示する（Ｓ１３）。そして、５秒経過するのを待ってから（Ｓ１７）、再度、電流変換部２６から電流センス抵抗５に流れるソーラー充電電流の電流値を取得する（Ｓ１１）。
【００６９】
一方、表示制御部２７は、取得した電流値が３０ｍＡ以上であれば、続いて、取得した電流値が６０ｍＡ以上であるかどうかを判定する（Ｓ１４）。表示制御部２７は、取得した電流値が６０ｍＡ未満であれば、サブ液晶駆動回路１０に対して、サブ液晶表示部１１に通常充電アイコンを表示するように指示する（Ｓ１５）。
【００７０】
ここで、表示制御部２７は、通常充電アイコンを表示した後、さらに、取得した電流値が５０ｍＡ以上であるかどうかを判定する（Ｓ１８）。表示制御部２７は、取得した電流値が５０ｍＡ未満であれば、５秒経過するのを待ってから（Ｓ１７）、再度、電流変換部２６から電流センス抵抗５に流れるソーラー充電電流の電流値を取得する（Ｓ１１）。一方、表示制御部２７は、取得した電流値が５０ｍＡ以上であれば、１０ミリ秒経過するのを待ってから（Ｓ１９）、再度、電流変換部２６から電流センス抵抗５に流れるソーラー充電電流の電流値を取得する（Ｓ１１）。
【００７１】
一方、Ｓ１４において、表示制御部２７は、取得した電流値が６０ｍＡ以上であれば、サブ液晶駆動回路１０に対して、サブ液晶表示部１１に最適充電アイコンを表示するように指示する（Ｓ１６）。そして、１０ミリ秒経過するのを待ってから（Ｓ１９）、再度、電流変換部２６から電流センス抵抗５に流れるソーラー充電電流の電流値を取得する（Ｓ１１）。
【００７２】
すなわち、表示制御部２７は、取得した電流値が３０ｍＡ未満であれば、サブ液晶駆動回路１０に対して、サブ液晶表示部１１に充電停止アイコンを表示するように指示して、次の表示アイコンの判定まで５秒待つ。また、表示制御部２７は、取得した電流値が３０ｍＡ以上、５０ｍＡ未満であれば、サブ液晶駆動回路１０に対して、サブ液晶表示部１１に通常充電アイコンを表示するように指示して、次の表示アイコンの判定まで５秒待つ。また、表示制御部２７は、取得した電流値が５０ｍＡ以上、６０ｍＡ未満であれば、サブ液晶駆動回路１０に対して、サブ液晶表示部１１に通常充電アイコンを表示するように指示して、次の表示アイコンの判定まで１０ミリ秒待つ。また、表示制御部２７は、取得した電流値が６０ｍＡ以上であれば、サブ液晶駆動回路１０に対して、サブ液晶表示部１１に最適充電アイコンを表示するように指示して、次の表示アイコンの判定まで１０ミリ秒待つ。
【００７３】
〔発電量と、表示アイコン、ポーリング周期および表示更新間隔との関係〕
次に、ソーラー電池２の発電量を示す電流センス抵抗５を流れるソーラー充電電流の電流値と、表示アイコン、ポーリング周期および表示更新間隔との関係について、図６に基づいて説明する。図６は、電流センス抵抗５を流れるソーラー充電電流の電流値と、表示アイコン、ポーリング周期および表示更新間隔との関係を示す図である。
【００７４】
図６に示すように、表示制御部２７が用いる状態切替閾値および通知判定間隔変更閾値と、ポーリング周期制御部２８が用いる測定間隔変更閾値とで、電流値の範囲を４つに分割している。なお、測定間隔変更閾値は、電流値に換算した値を用いている。
【００７５】
図示のように、電流センス抵抗５を流れるソーラー充電電流の電流値が、０ｍＡ以上、３０ｍＡ未満の場合、充電停止アイコンが表示され、ポーリング周期は５秒であって、表示更新間隔も５秒である。また、ソーラー充電電流の電流値が、３０ｍＡ以上、５０ｍＡ未満の場合、通常充電アイコンが表示され、ポーリング周期は５秒であって、表示更新間隔も５秒である。また、ソーラー充電電流の電流値が、５０ｍＡ以上、６０ｍＡ未満の場合、通常充電アイコンが表示され、ポーリング周期は１０ミリ秒であって、表示更新間隔も１０ミリ秒である。また、ソーラー充電電流の電流値が、６０ｍＡ以上の場合、最適充電アイコンが表示され、ポーリング周期は１０ミリ秒であって、表示更新間隔も１０ミリ秒である。
【００７６】
このように、ソーラー充電電流の電流値が５０ｍＡ以上では、短い間隔でポーリングを行って表示を更新するため、ソーラー充電電流の電流値が５０ｍＡ以上であって、表示アイコンを切り替える閾値である６０ｍＡを跨ぐように当該電流値が変動する場合であっても、現在の発電状態に対応する表示アイコンを、遅れることなく表示することができる。
【００７７】
すなわち、表示制御部２７が用いる通知判定間隔変更閾値より大きい値に、表示制御部２７が用いる状態切替閾値（第１の状態切替閾値）を設定することによって、通知判定間隔変更閾値より大きい値である状態切替閾値で切り替わる表示アイコンを、現在の発電状態に合わせて遅れることなく表示することができる。また、ポーリング周期制御部２８が用いる測定間隔変更閾値より大きい値に、表示制御部２７が用いる状態切替閾値を設定することによって、測定間隔変更閾値より大きい値である状態切替閾値で切り替わる表示アイコンを、現在の発電状態に合わせて遅れることなく表示することができる。
【００７８】
例えば、ソーラー電池２の発電量が状態切替閾値（例えば、ソーラー充電電流の電流値が６０ｍＡ）を超えて、当該発電量が大きい状態から小さい状態へ、また、小さい状態から大きい状態へと繰り返し状態が変化している場合、従来の測定装置は、発電量が小さい状態になると、測定間隔が長くなるため、高発電状態を通知している状態から低発電状態の通知の切り替えは遅滞なく実行されるが、低発電状態を通知している状態から高発電状態の通知の切り替えが遅れる場合がある。一方、本発明に係る充電表示装置は、ソーラー発電の発電量が、例えば、ソーラー充電電流の電流値が５０ｍＡ以上であれば、発電状態が、例えば、ソーラー充電電流の電流値の６０ｍＡを超えて、繰り返し変化している場合であっても、最適充電アイコンから通常充電アイコンへの切り替えだけでなく、通常充電アイコンから最適充電アイコンへの切り替えも遅滞なく実行することができる。例えば、本実施形態では、最短で１０ミリ秒毎に表示更新することができる。
【００７９】
一般的に、利用者は、ソーラー電池２の発電量が最も大きい状態を探す基準として、表示されているアイコンを見るため、通常、発電量が大きい状態を示すアイコン（本実施形態では最適充電アイコン）を遅滞なく表示することが望ましい。逆に、発電量が小さい状態を示すアイコン（例えば、充電停止アイコン）は、多少表示が遅れても利用者の利便性への影響は少ない。そのため、本実施形態のように、最適充電アイコンを遅滞なく表示すると共に、発電量が小さい状態では、できるだけ消費電力を抑える構成にすることが望ましい。
【００８０】
なお、当然ながら、最適充電アイコンだけではなく、通常充電アイコンも遅滞なく表示するようにしてもよい。この場合、例えば、測定間隔変更閾値または通知判定間隔変更閾値を３０ｍＡ未満の値（例えば、２０ｍＡ）に設定してもよい。また、測定間隔変更閾値または通知判定間隔変更閾値を複数設定してもよい。この場合、例えば、測定間隔変更閾値または通知判定間隔変更閾値を２０ｍＡと、５０ｍＡの２つを設定して、ポーリング周期または表示更新間隔を５秒、１秒、１０ミリ秒と３段階に分けてもよい。
【００８１】
このように、消費電力を抑えると共に、状態切替閾値のうち、測定間隔変更閾値または通知判定間隔変更閾値より大きい値の状態切替閾値で変更される表示アイコンを遅滞なく表示することができる。つまり、利用者に対して遅滞なく通知したいアイコンの状態切替閾値を測定間隔変更閾値または通知判定間隔変更閾値より大きい値に設定すればよい。
【００８２】
〔充電表示装置を備える携帯機器〕
次に、本発明に係る充電表示装置１を備える携帯電話機１００を図７に基づいて説明する。図７は、充電表示装置１を備える携帯電話機１００の外観を示す図である。図７（ａ）は携帯電話機１００の正面図であり、（ｂ）は携帯電話機１００の背面図であり、（ｃ）は携帯電話機１００の側面図である。なお、充電表示装置１を搭載する機器は、携帯電話機１００に限らず、ソーラー電池を電力源として搭載する機器であればよい。特に、機器のユーザが機器を操作して発電量を最適な状態に調整するような、携帯電話機、ＰＤＡ（Personal Digital Assistants）、携帯ゲーム機、ノートパソコン、携帯音楽プレイヤー、電子辞書、電卓、テレビ等のリモコンなどの携帯機器に充電表示装置１を搭載することができる。
【００８３】
図７に示すように、携帯電話機１００は、モニター側筐体１０１および操作側筐体１０２を備える。モニター側筐体１０１は、メイン液晶表示部１０５、スピーカー部１０６、サブ液晶表示部１１およびソーラー電池２を含み、操作側筐体１０２は、マイク部１０３および操作部１０４を含む。
【００８４】
なお、本実施形態において、サブ液晶表示部１１およびソーラー電池２は、図７（ｂ）に示すように、モニター側筐体１０１の背面に配置されているが、サブ液晶表示部１１およびソーラー電池２の配置方法およびその向きについては、それぞれ、これに限定されるわけではない。
【００８５】
スピーカー部１０６は、音声情報を外部に出力するものであり、マイク部１０３は音声情報を携帯電話機１００に入力するものである。メイン液晶表示部１０５は、携帯電話機１００の機能を制御するメインマイコンの指示に基づいて画像を表示するものである。なお、メイン液晶表示部１０５にも、発電量を表示してもよい。操作部１０４は、ユーザが携帯電話機１００に指示信号を入力し、操作するためのものである。
【００８６】
なお、本実施形態の携帯電話機１００は、図７（ａ）〜図７（ｃ）に示すように、上部の筐体（モニター側筐体１０１）と下部の筐体（操作側筐体１０２）とがヒンジを介して接続されている、いわゆる折りたたみ式の携帯電話機１００を例として挙げている。携帯電話機１００として、折りたたみ式が主流であるため、本実施形態では折りたたみ式の携帯電話機を一例として挙げているのであって、充電表示装置１を搭載することができる携帯電話機１００は、折りたたみ式に限るものではない。
【００８７】
〔変形例〕
本発明は、以下のようにも表現することができる。
【００８８】
本発明に係る発電量通知装置は、ソーラー発電の発電量を所定の間隔で測定し、測定した発電量を通知する発電量通知装置であって、上記発電量が所定の状態切替閾値未満の場合、上記発電量が小さいことを示す低発電状態を通知し、上記発電量が上記所定の状態切替閾値以上の場合、上記発電量が大きいことを示す高発電状態を通知する発電状態通知手段と、上記発電量が所定の測定間隔変更閾値未満の場合、上記測定の間隔を長くし、上記発電量が上記所定の測定間隔変更閾値以上の場合、上記測定の間隔を短くする測定間隔制御手段と、を備え、上記所定の状態切替閾値が、上記所定の測定間隔変更閾値より大きく設定されていることを特徴としている。
【００８９】
上記の構成によれば、発電量通知装置は、上記所定の測定間隔変更閾値より、上記所定の状態切替閾値を大きい値に設定する。そのため、発電量通知装置は、上記発電量が、上記所定の測定間隔変更閾値より大きい上記所定の状態切替閾値付近であっても、当該所定の測定間隔変更閾値以上の場合、短い間隔で上記発電量を測定する。よって、上記所定の測定間隔変更閾値より大きい上記所定の状態切替閾値付近で発電量が変動したとしても、当該発電量が上記所定の測定間隔変更閾値以上の場合、上記発電状態通知手段は、現在の発電量に応じた発電状態（低発電状態および高発電状態）を遅れることなく通知することができる。
【００９０】
例えば、ソーラー発電の発電量が上記所定の状態切替閾値を超えて、当該発電量が大きい状態から小さい状態へ、また、小さい状態から大きい状態へと繰り返し状態が変化している場合、従来の測定装置は、発電量が小さい状態になると、測定間隔が長くなるため、高発電状態を通知している状態から低発電状態の通知の切り替えは遅滞なく実行されるが、低発電状態を通知している状態から高発電状態の通知の切り替えが遅れる場合がある。一方、本発明に係る発電量通知装置は、ソーラー発電の発電量が上記所定の測定間隔変更閾値以上であれば、発電状態が繰り返し変化している場合であっても、高発電状態の通知から低発電状態の通知の切り替えだけでなく、低発電状態の通知から高発電状態の通知の切り替えも遅滞なく実行することができる。
【００９１】
従って、発電量通知装置は、発電量を通知する際に使用する消費電力を抑えると共に、ユーザに対して、現在の発電量を遅れることなく、正確に通知することができるという効果を奏する。
【００９２】
〔補足〕
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００９３】
最後に、充電表示装置１の各ブロック、特にサブマイコン９は、ハードウェアロジックによって構成してもよいし、次のようにＣＰＵを用いてソフトウェアによって実現してもよい。
【００９４】
すなわち、充電表示装置１は、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアである充電表示装置１の制御プログラムのプログラムコード（実行形式プログラム、中間コードプログラム、ソースプログラム）をコンピュータで読み取り可能に記録した記録媒体を、上記充電表示装置１に供給し、そのコンピュータ（またはＣＰＵやＭＰＵ）が記録媒体に記録されているプログラムコードを読み出し実行することによっても、達成可能である。
【００９５】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００９６】
また、充電表示装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。
【産業上の利用可能性】
【００９７】
本発明は、ソーラー発電を行う装置であって、ソーラー電池の発電量を測定して、測定した発電量を通知する装置に利用することができる。例えば、本発明は、電力源としてソーラー電池を搭載している携帯電話機などの携帯機器に利用することができる。
【符号の説明】
【００９８】
１    充電表示装置（発電量通知装置）
２７    表示制御部（発電状態通知手段、通知判定間隔制御手段）
２８    ポーリング周期制御部（測定間隔制御手段）
１００    携帯電話機（携帯機器）
【図１】
2011244548.tif 000003
【図２】
2011244548.tif 000004
【図３】
2011244548.tif 000005
【図４】
2011244548.tif 000006
【図５】
2011244548.tif 000007
【図６】
2011244548.tif 000008
【図７】
2011244548.tif 000009